(57)【特許請求の範囲】
【請求項１】
冷蔵庫本体と、取手付き脚体及び前記取手付き脚体に回動可能に支持したローラを有しかつ前記冷蔵庫本体の底面前部に設置した脚組品とを備える冷蔵庫において、
前記取手付き脚体は、前記冷蔵庫本体の底面に固定した上面部と、この上面部の内側から下方に延びる立ち下げ部と、前記立ち下げ部の下端部から側方へ延びる提手部と、前記提手部の他側から上方に延びて前記冷蔵庫本体の底面に固定した立上固定部とを備えたことを特徴とする冷蔵庫。
【請求項２】
冷蔵庫本体と、取手付き脚体及びこの取手付き脚体に回動可能に支持したローラを有しかつ前記冷蔵庫本体の底面前部に設置した脚組品とを備える冷蔵庫において、
前記冷蔵庫本体は外板と内箱との間に発泡ウレタンフォームを充填して形成し、
前記外板は、両側面を構成する側面板と、この側面板より薄肉で底面部を形成する底板とを有し、
前記取手付き脚体は、側面板の底面に固定した上面部と、この上面部の内側から下方に延びる立ち下げ部と、前記立ち下げ部の下端部から側方へ延びる提手部と、前記提手部の前端部から上方に延びて前記底板の前端部に当接する立上当接部とを備えたことを特徴とする冷蔵庫。
【請求項３】
貯蔵室を有する冷蔵庫本体と、前記貯蔵室の前面開口を開閉する扉と、取手付き脚体、ローラ及び調節脚を有しかつ前記冷蔵庫本体の底面前部に設置した脚組品と、前記冷蔵庫本体の前面下部を覆う前カバーとを備える冷蔵庫において、
前記冷蔵庫本体は外板と内箱との間に発泡ウレタンフォームを充填して形成し、
前記外板は、両側面を構成する側面板と、この側面板より薄肉で底面部を形成する底板と、前面下部を形成して前記底板より下方に突出した下前板とを有し、
前記取手付き脚体はローラ部、取手部及び調節脚部を有し、
前記ローラ部は、上面部と、この上面部両側から下方に延びるローラ内支え部及びローラ外支え部を有するローラ部とを有し、
前記取手部は、前記ローラ内支え部の下端部から側方に延びる提手部と、この提手部の前端部から上方に延びて前記底板の前端部底面に当接すると共にボス逃げ部を形成した立上当接部とを有し、
前記調節脚部は前記ローラ部の上面部から前記冷蔵庫本体の前面より前方に延び、
前記ローラはローラ部内に位置してローラ内支え部及びローラ外支え部に軸支し、
前記調節脚は冷蔵庫本体の前面より前方に位置して前記調節脚部に下方から取付け、
前記前カバーは、前記調節脚部及び調節脚を覆うと共に、前記下前板のボス穴に嵌合してさらに前記ボス逃げ部を通して後方に突出するボスを有することを特徴とする冷蔵庫。
【発明の詳細な説明】
【０００１】
【発明の属する技術分野】
本発明は、冷蔵庫に係り、特に冷蔵庫本体の底面部に脚組品を設置した冷蔵庫に好適なものである。
【０００２】
【従来の技術】
従来の冷蔵庫としては、特開平２−２７９９７３号公報（従来技術１）に示されているように、冷蔵庫本体と、貯蔵室の開口を開閉する扉と、取手付き脚体、ローラ及び調節脚を有しかつ冷蔵庫本体の底面前部に設置した脚組品とを備える冷蔵庫において、取手付き脚体はローラ部、取手部及び調節脚部を有し、ローラ部は上面部とこの上面部両側から下方に延びるローラ内支え部及びローラ外支え部を有するローラ部とを有し、調節脚部はローラ部の上面部から冷蔵庫本体の前面より前方に延び、取手部は調節脚部から側方に延びる提手部を有し、ローラはローラ部内に位置してローラ内支え部及びローラ外支え部に軸支し、調節脚は冷蔵庫本体の前面より前方に位置して調節脚部に下方から取付けているものがある。
【０００３】
また、従来の冷蔵庫としては、特開２００１−５０６４１号公報（従来技術２）に示されているように、冷蔵庫本体と、貯蔵室の開口を開閉する扉と、取手付き脚体、ローラ及び調節脚を有しかつ冷蔵庫本体の底面前部に設置した脚組品とを備える冷蔵庫において、取手付き脚体はローラ部、取手部及び調節脚部を有し、ローラ部は上面部とこの上面部両側から下方に延びるローラ内支え部及びローラ外支え部を有するローラ部とを有し、調節脚部はローラ部の上面部から冷蔵庫本体の前面より前方に延び、取手部はローラ部の上面部から後方に延びる部分から側方に延びる提手部を有し、ローラはローラ部内に位置してローラ内支え部及びローラ外支え部に軸支し、調節脚は冷蔵庫本体の前面より前方に位置して調節脚部に下方から取付けているものがある。
【０００４】
【発明が解決しようとする課題】
しかしながら、従来技術１では、取手付き脚体の取手部が冷蔵庫本体より前方に延びた調節脚部から側方に延びているので、床面と取手部との隙間に据付者の足先を挟み易いという課題があった。また、強度のそれ程大きくない調節脚部から取手部が形成されているので、取手部を持った際の強度を十分に確保することが難しいという課題があった。さらには、取手部が調節脚部からほぼ水平に延びているので、取手部と扉の下面との隙間を十分に確保しようとすれば、扉の下面位置を高くしなければならず、これによって貯蔵室の容積の低減を招くという課題があった。
【０００５】
また、従来技術１では、取手部の一側のみが調節脚部を冷蔵庫本体の底面に固定されているため、取手部の強度を十分に確保することが難しいと共に、取手部を持つ手先が取手部の一方から外れてしまうおそれがあるという課題があった。
【０００６】
一方、従来技術２では、取手付き脚体の取手部がローラ部より後方に延びた水平部またはフランジ部から下方に若干延びてその下端部から側方に延びている。このため、取手付き脚体が大きくなって高価になると共に、取手付き脚体が冷蔵庫本体の前端部よりかなり後方位置になって持ち難くなり、さらには強度がそれ程大きくない水平部またはフランジ部から取手部が延びていることにより取手部を持った際の強度を十分に確保することが難しいという課題があった。そして、ローラ部の立ち下げ部の高さを大きくして取手部と冷蔵庫本体の底面との隙間を大きくすると、取手付き脚体の大きさがさらに大きくなって高価のものとなり、ローラ部の立ち下げ部の高さを小さくすると、取手部と冷蔵庫本体の底面との隙間が小さくなって取手部を持ち難くなるという課題があった。
【０００７】
また、従来技術２では、取手付き脚体の左右両側が締結具で固定されているが、水平な取手部の先端部が冷蔵庫本体の底面に固定されているので、取手部の上方に手先を挿入するには、冷蔵庫本体の底面をこの固定具より外側で段部を形成しなければならない。これによって冷蔵庫本体の底面形状が複雑になるという課題があった。
【０００８】
また、従来技術２では、取手部が底板側に延出して底板の前端部を発泡雇で押さえることができないため、発泡ウレタンフォームの発泡圧により底板の前端部が変形して冷蔵庫本体の強度が低下すると共に、提手部と底板との隙間が狭くなって手先を入れ難くなるという課題があった。
【００１０】
本発明の第１の目的は、取手付き脚体の強度上の信頼性を確保しつつ、冷蔵庫を安全に運搬することができる冷蔵庫を提供することにある。
【００１１】
本発明の第２の目的は、冷蔵庫本体の強度上の信頼性を確保しつつ、冷蔵庫を容易に運搬できる冷蔵庫を提供することにある。
【００１２】
なお、本発明はかかる目的に限定されるものではなく、前記以外の目的と有利点は以下の記述から明らかにされる。
【００１４】
【課題を解決するための手段】
前記第１の目的を達成するために、本発明は、冷蔵庫本体と、取手付き脚体及び前記取手付き脚体に回動可能に支持したローラを有しかつ前記冷蔵庫本体の底面前部に設置した脚組品とを備える冷蔵庫において、前記取手付き脚体は、前記冷蔵庫本体の底面に固定した上面部と、この上面部の内側から下方に延びる立ち下げ部と、前記立ち下げ部の下端部から側方へ延びる提手部と、前記提手部の他側から上方に延びて前記冷蔵庫本体の底面に固定した立上固定部とを備えたことにある。
【００１５】
前記第２の目的を達成するために、本発明は、冷蔵庫本体と、取手付き脚体及びこの取手付き脚体に回動可能に支持したローラを有しかつ前記冷蔵庫本体の底面前部に設置した脚組品とを備える冷蔵庫において、前記冷蔵庫本体は外板と内箱との間に発泡ウレタンフォームを充填して形成し、前記外板は、両側面を構成する側面板と、この側面板より薄肉で底面部を形成する底板とを有し、前記取手付き脚体は、側面板の底面に固定した上面部と、この上面部の内側から下方に延びる立ち下げ部と、前記立ち下げ部の下端部から側方へ延びる提手部と、前記提手部の前端部から上方に延びて前記底板の前端部に当接する立上当接部とを備えたことにある。
【００１６】
【発明の実施の形態】
以下、本発明の一実施例の冷蔵庫について図１〜図４を参照しながら説明する。図１は本発明の一実施例の冷蔵庫に用いる脚組品の斜視図、図２は同冷蔵庫の要部断面側面図、図３は同冷蔵庫の底面図、図４は同冷蔵庫の脚組品周辺の断面図である。
【００１７】
冷蔵庫１は、冷蔵庫本体２、扉３及び脚組品４を備えて構成されている。
【００１８】
冷蔵庫本体２は、上下に複数の貯蔵室１ａが前面を開口して形成されている。
また、冷蔵庫本体２は、鉄板などからなる金属製の外板５、ＡＢＳ樹脂などからなる合成樹脂製の内箱６、外板５と内箱６との間に発泡充填された硬質ウレタンフォームからなる断熱材７を備えて構成されている。
【００１９】
冷蔵庫本体２の背面下側角部には、図３に示すように、機械室８が形成されている。機械室８内には圧縮機９、凝縮器１０、送風機１１が配置されている。機械室８を形成する底面ベースの左右両側には背面側ローラ１２が設置されている。
【００２０】
外板５は、図２及び図４に示すように、側面板２２、底板２４及び下前板２６などからなっている。
【００２１】
側面板２２は外板５の両側面を構成し、それぞれの下端から内側に突出する底部側面フランジ２２ａが形成されている。この底部側面フランジ２２ａは、側面板２２の前端部から機械室８を含む後端部まで延びている。側面板２２は０．５ｍｍ程度の厚板で形成され、冷蔵庫全体を支えるための強度部材として用いられる。
【００２２】
これに対し、底板２４は側面板２２より薄い０．２７ｍｍ程度の板厚で形成されて安価なものとされている。また、底板２４の左右両側には中央部より高い段部が前方から後方に延びるように形成され、この段部により通風凹部２４ａが形成されている。なお、通風凹部２４ａの前端の空気取入口は横幅一杯に形成されている。そして、取手部１７は通風凹部２４ａの下側に位置している。
【００２３】
下前板２６は、図２に示すように、内箱６の前面下端部と締結具２５の前面上端部と側面板２２の前面フランジ部との間にまたがって設置されている。下前板２６の下端部は底板２４より下側に延びて側面板２２の下端部と一致している。
【００２４】
扉３は貯蔵室２ａの前面開口を開閉するように外板５の前面に複数設置されている。最下段の扉３の下面は、内箱６の底面より下側でかつ底板２４の前端部の直上に位置している。
【００２５】
脚組品４は、図１に示すように取手付き脚体１５、ローラ部１６及び調整脚１９を備えて構成され、図３に示すように冷蔵庫本体２の底面前端部の左右両側に設置されている。
【００２６】
取手付き脚体１５は、ローラ部１６、取手部１７及び調整脚部１８を備えて構成され、１枚の鉄板等の部材より絞り成形及び折り曲げ成形されている。そして、取手付き脚体１５はねじなどから締結具２３、２５を用いて冷蔵庫本体２の底面に固定されている。
【００２７】
ローラ部１６は、上面前後に複数のねじ貫通穴１６ｃが形成されると共に、両側面下方に延びるローラ内支え部１６ａ及びローラ外支え部１６ｂが形成されている。このローラ内支え部１６ａ及びローラ外支え部１６ｂは立ち下げ部を構成する。ローラ内支え部１６ａ及びローラ外支え部１６ｂの中央部には、ローラピン２０を軸支するための支持穴１６ｄが形成されている。ローラ部１６は締結具２３をねじ貫通穴１６ｃに下方より通して側面板２２の底部側面フランジ２２ａにねじ込むことにより固定されている（図２及び図３参照）。ローラ部１６は冷蔵庫本体２の底面前端部に設置される。
【００２８】
ローラ２１は中心にローラピン２０を有しており、このローラピン２０がねじ貫通穴１６ｃに軸支されている。この軸支によりローラ２１が回転可能にローラ内支え部１６ａ及びローラ外支え部１６ｂに支持されている。
【００２９】
取手部１７は、ローラ内支え部１６ａの下端部から内側に延びて形成され、提手部１７ｄ、カーリング部１７ａ、立上当接部１７ｂ及び立上固定部１７ｃを備えて構成されている。取手部１７は、ローラ２１と並置されることとなって冷蔵庫本体２の底面前端部近傍に設置されると共に、締結具２１の中央部に位置する部分から側方に延びている。
【００３０】
提手部１７ｄは、ローラ内支え部１６ａの下端部から内側に水平に延びる部分であり、冷蔵庫の運搬者の手先が入る程度の幅を有している。この提手部１７ｄはローラ２１の側方に並置されることとなる。
【００３１】
カーリング部１７ａは提手部１７ｄの後端部に形成され、上方前方に小さく巻設されている。この巻設されたカーリング部１７ａにより、提手部１７ｄを手先で保持する際にその手先の保護を行なうことができる。特に、カーリング部１７ａが上方前方に小さく巻設されていることにより、運搬者の手先をこのカーリング部１７ａに係止することができ、より確実に手先で提手部１７ｄの保持を行なうことができる。
【００３２】
立上当接部１７ｂは提手部１７ｄの前端部から上方に延びて形成され、その上端が底板２４の前端部底面に当接されている（図２参照）。そして、立上当接部１７ｂの上部にはボス逃げ部１７ｅが形成されている。
【００３３】
立上固定部１７ｃは提手部１７ｄの側端部から上方に延びて形成されている。
この立上固定部１７ｃの上端部には、ねじ貫通穴１７ｇを有するフランジ部１７ｆが形成されている。フランジ部１７ｆは締結具２５をねじ貫通穴１７ｇに下方より通して底板２４にねじ込むことにより固定されている（図２及び図４参照）。
【００３４】
調整脚部１８は、ローラ部１６の上面前端部から前側に延びて形成され、冷蔵庫本体２の前端より（換言すれば下前板２６より）前側に突出しかつ扉３の直下に位置するように配置されている。調整脚部１８には調整脚部１８ａが形成されている。
【００３５】
調整脚１９は上部に突出するねじ部１９ａを有している。このねじ部１９ａはねじ穴１８ａに螺合され、この螺合の深さを調節することにより調整脚１９の高さ位置が調節可能となっている。
【００３６】
前カバー２７は合成樹脂で製作され、脚組品４を覆うように冷蔵庫本体２の前面下部に配置されている。前カバー２７の背面両側からボス２７ａが一体に形成されている。このボス２７ａは後端部が複数に割れており、これによる後端部の弾力性を利用して下前板２６のボス穴（図示せず）に嵌合することにより前カバー２７が下前板２６に固定されている。そして、ボス２７ａの後端は下前板２６を貫通して後方に突出され、さらに取手部１７のボス逃げ部１７ｅを通してその後方まで突出されている。ボス逃げ部１７ｅを有することにより、ボス２７ａを有していても、取手部１７を冷蔵庫本体２の底面前端部近傍に位置させることができる。
【００３７】
上述した冷蔵庫１を持ち上げて運搬する場合には、冷蔵庫本体２を傾斜させ、運搬者の一方が冷蔵庫本体２後面上部に形成された取手部（図示せず）を持ち、他方が冷蔵庫本体２の底面に設置された取手部１７ｄを持つことにより、所定の場所まで運搬することができる。また、冷蔵庫１を床面に置いて移動させる場合には、ローラ部１６に取付られたローラ２１及び背面側ローラ１２の回転を利用して移動させることができる。さらに冷蔵庫１の設置時には、調節脚１９を調節することにより、床面の凹凸による冷蔵庫１のガタツキ、転倒を防止することができる。
【００３８】
係る本実施例の冷蔵庫１では、冷蔵庫本体２の底面前端部の近傍に位置しかつ上面部両側から下方に延びるローラ内支え部１６ａ及びローラ外支え部１６ｂを有するローラ部１６と、冷蔵庫本体２の底面前端部の近傍に位置しかつローラ内支え部１６ａの下端部から側方に延びる取手部１７とを備える取手付き脚体１５を冷蔵庫本体２の底面に設置している。これにより、上面部両側から下方に延びるローラ内支え部１６ａ及びローラ外支え部１６ｂで構成されたコ字状の強度の大なるローラ部１６から取手部１７が延びることにより取手部１７の強度を大きなものとすることができる。また、取手部１７がローラ部１６に左右に隣接して従来技術２よりも前方に位置できる。しかも、ローラ内支え部１６ａの高さ寸法を利用して取手部１７と冷蔵庫本体２の底面との隙間を十分に確保できる。従って、取手付き脚体１５を小型化及び薄肉化することが可能となり、取手付き脚体１５の強度上の信頼性を確保しつつ取手付き脚体１５を安価にできると共に、冷蔵庫１を運搬する際に取手付き脚体１５が持ち易くなって冷蔵庫１を容易に運搬することができる。
【００３９】
また、ローラ２１の前後両側で締結具２３を介してローラ部１６を冷蔵庫本体２の底面に固定し、締結具２３の前後中間の位置から取手部１７を側方に延ばすようにしているので、取手部１７の強度をより一層強いものとすることができ、さらに信頼性の向上を図ることができる。
【００４０】
また、冷蔵庫本体２の底面に固定した上面部と、この上面部の内側から下方に延びる立ち下げ部と、立ち下げ部の下端部から側方へ延びる提手部１７ｄと、提手部１７ｄの他側から延びて冷蔵庫本体２の底面に固定した立上固定部１７ｃとを備えた取手付き脚体１５としているので、提手部１７ｄの強度を極めて強いものとすることができると共に、立ち下げ部１６ａ及び立上固定部１７ｃが運搬者の手先の左右ストッパとして機能し、安全な運搬が可能となる。
【００４１】
また、取手付き脚体１５は提手部１７ｄの前端部から上方に延びて底板２４の前端部に当接する立上当接部１７ｂを有しているので、取手部１７が底板２４側に延出して底板２４の前端部を発泡雇で押さえることができなくても、立上当接部１７ｂで押さえられてウレタンフォームの発泡圧による底板２４の変形を防止することができる。これによって、冷蔵庫本体２の強度を確保できると共に、提手部１７ｄと底板２４の底面との間の隙間を確保することができる。従って、冷蔵庫本体２の強度上の信頼性を確保しつつこの隙間に確実に手先を入れて容易に冷蔵庫１を運搬できる。
【００４２】
また、前カバー２７は、調整脚部１８及び調節脚１９を覆うと共に、下前板２６のボス穴に嵌合してさらにボス逃げ部１７ｅを通して後方に突出するボス２７ａを有するようにしているので、発泡ウレタンフォームによる底板２４の変形を防止する取手付き脚体１５の形態を取りつつ、前カバー２７で冷蔵庫本体２の前面下部の体裁を良好にできる。
【００４４】
【発明の効果】
上述の説明から明らかなように、本発明によれば、取手付き脚体の強度上の信頼性を確保しつつ、冷蔵庫を安全に運搬することができる冷蔵庫を得ることができる。
【００４５】
また、本発明によれば、冷蔵庫本体の強度上の信頼性を確保しつつ、冷蔵庫を容易に運搬できる冷蔵庫を得ることができる。
【図面の簡単な説明】
【図１】本発明の一実施例の冷蔵庫に用いる脚組品の斜視図である。
【図２】同冷蔵庫の要部断面側面図である。
【図３】同冷蔵庫の底面図である。
【図４】同冷蔵庫の脚組品周辺の断面図である。
【符号の説明】
１…冷蔵庫、２…冷蔵庫本体、２ａ…貯蔵室、３…扉、４…脚組品、５…外板、６…内箱、７…断熱材、８…機械室、９…圧縮機、１０…凝縮器、１１…送風機、１２…背面側ローラ、１５…取手付き脚体、１６…ローラ部、１６ａ…ローラ内支え部、１６ｂ…ローラ外支え部、１６ｃ…ねじ貫通穴、１６ｄ…支持穴、１７…取手部、１７ａ…カーリング部、１７ｂ…立上当接部、１７ｃ…立上固定部、１７ｄ…提手部、１７ｅ…ボス逃げ部、１７ｆ…フランジ部、１７ｇ…ねじ貫通穴、１８…調整脚部、１８ａ…ねじ穴、１９…調節脚、１９ａ…ねじ部、２０…ローラピン、２１…ローラ、２２…側面板、２２ａ…底部側面フランジ、２３…締結具、２４…底板、２４ａ…通風凹部、２５…締結具、２６…下前板、２７…前カバー、２７ａ…ボス。
【図１】
0003944533.tif 000002
【図２】
0003944533.tif 000003
【図３】
0003944533.tif 000004
【図４】
0003944533.tif 000005